【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
モバイルエンド・ユーザの出退時間を測定および認証するコンピュータシステムであって、該システムが、
（ａ）モバイル・デバイスであって、当該モバイル・デバイスが
（ｉ）モバイルプロセッサ、
（ｉｉ）実行可能命令を実行するように構成されたモバイルオペレーティングシステム、
（ｉｉｉ）注釈、タグ、マーク、文書、または、メッセージ、あるいはこれらの組み合わせを含む分類ラベルを保存するように構成されたメモリーであって、分類ラベルがコストデータおよびカテゴリーデータの少なくとも１つをコード化することができる、メモリー、
（ｉｖ）モバイル・デバイスの認証の時間と地理的位置を含む、出退データを測定および記録するように構成されたセンサ、
（ｖ）モバイルエンド・ユーザの写真または生体認証方式を含む、モバイルエンド・ユーザの生体認証データを記録するように構成されたカメラ、および、
（ｖｉ）出退データと生体認証データをサーバに送信するように構成された通信モジュールを含む、モバイル・デバイスと、
（ｂ）サーバであって、
（ｉ）認証時間がサーバのクロックに一致することを確認し、
（ｉｉ）生体認証データがモバイルエンド・ユーザの生体認証モデルに一致することを確認し、
（ｉｉｉ）前記地理的位置を、短距離無線通信によって許可されたモバイル・デバイスの地理的位置と、あるいは、短距離無線通信によって許可されたセンサ装置の地理的位置と比較することによってモバイル・デバイスの位置を決定し、
（ｉｖ）認証の時間とモバイル・デバイスの前記位置が時間割り当てルールおよび位置割り当てルールの少なくとも１つに従っていることを確認し、および、
（ｖ）モバイル・デバイスに確認を送信する、
ように構成されたサーバを備え、
モバイル・デバイスは、認証の時間、地理的位置、および、生体認証データの少なくとも１つを定期的に測定および記録するように構成され、
サーバは、モバイルエンド・ユーザが依然として従っていることを保証するためのなりすまし対抗策として、認証の時間とモバイル・デバイスの前記位置が時間割り当てルールおよび位置割り当てルールの少なくとも１つに従っていることを、定期的に確認するように構成され、
モバイルオペレーティングシステムはさらに、出退データと生体認証データの少なくとも１つに、分類ラベルを割り当てるように構成され、および、
該システムは、氏名、パスコード、キーカードデータ、特徴、および同一性の形態を受け取ることなく、認証の時間とモバイル・デバイスの前記位置が時間割り当てルールおよび位置割り当てルールの少なくとも１つに従っていることを確認することができる、ことを特徴とするシステム。
【請求項２】
モバイル・デバイスはさらに、モバイルエンド・ユーザに、確認、モバイル・デバイスの前記位置、出退時間データ、および現行の状態を表示するように構成されたディスプレイ、ボタン、タッチセンサーディスプレイ、またはマイクロフォンの少なくとも１つを含む、請求項１に記載のシステム。
【請求項３】
位置割り当てルールは、モバイル・デバイスの前記位置が、世界のある領域を表す地理的座標のセット内にあるかどうかを判定することを含む、請求項１に記載のシステム。
【請求項４】
サーバは、
（ａ）地理的座標のセット、および／または、
（ｂ）構成可能な位置割り当てルールを提供するためにリアルタイムの地理的座標の更新されたセットの少なくとも１つを受け取るようにさらに構成される、請求項３に記載のシステム。
【請求項５】
地理的座標のセットは、世界の前記領域を包含する形状を形成する、ディジタルマップ上の１以上の地理的な座標点を含む、請求項４に記載のシステム。
【請求項６】
サーバは、認証の時間とモバイル・デバイスの前記位置の少なくとも１つが時間割り当てルールおよび位置割り当てルールの少なくとも１つに従っていない場合に、モバイルエンド・ユーザの退出を記録するようにさらに構成され、サーバは、モバイルエンド・ユーザが能動的にモバイル・デバイスに退出指示を入力する必要なく、モバイルエンド・ユーザの退出を記録するように構成される、請求項１に記載のシステム。
【請求項７】
（ａ）前記出退データ、前記確認、モバイル・デバイスの前記位置、および現行の状態の少なくとも１つを表示し、
（ｂ）モバイル・デバイスに直接メッセージを伝え、あるいは、
（ｃ）認証の時間とモバイル・デバイスの前記位置が時間割り当てルールおよび位置割り当てルールの少なくとも１つに従っていることを確認する、
ように構成された管理モジュールをさらに含む、請求項１に記載のシステム。
【請求項８】
コンピュータシステムにより実行される、モバイルエンド・ユーザの出退時間を測定および認証する方法であって、
（ａ）認証の時間と地理的位置を含む出退データを、モバイル・デバイスのセンサによって測定および記録する工程と、
（ｂ）モバイルエンド・ユーザの生体認証データを、モバイル・デバイスのカメラによって記録する工程であって、生体認証データがモバイルエンド・ユーザの写真または生体認証方式を含む、工程と、
（ｃ）注釈、タグ、マーク、文書、メッセージ、あるいはこれらの組み合わせを含む分類ラベルを、モバイル・デバイスのメモリーによって保存する工程であって、分類ラベルがコストデータおよびカテゴリーデータの少なくとも１つをコード化することができる、工程と、
（ｄ）モバイル・デバイスによって、出退データと生体認証データの少なくとも１つに分類ラベルを割り当てる工程と、
（ｅ）モバイル・デバイスの通信モジュールによって、出退データ、生体認証データ、および、分類ラベルを、サーバに送信する工程と、
（ｆ）認証の時間がサーバのクロックに一致することをサーバによって確認する工程と、
（ｇ）生体認証モデルがモバイルエンド・ユーザの生体認証モデルに一致することを、サーバによって確認する工程と、
（ｈ）前記地理的位置を、短距離無線通信によって許可されたモバイル・デバイスの地理的位置と、あるいは、短距離無線通信によって許可されたセンサ装置の地理的位置と比較することによってモバイルエンド・ユーザの位置を、サーバによって決定する工程と、
（ｉ）モバイルエンド・ユーザが氏名、パスコード、キーカードデータ、特徴、および同一性の形態を提出することなく、認証の時間とモバイルエンド・ユーザの前記位置が時間割り当てルールおよび位置割り当てルールの少なくとも１つに従っていることを、サーバによって確認する工程と、
（ｊ）従っていることが確認された場合、サーバによってモバイル・デバイスに確認を送信する工程と、
（ｋ）認証の時間、前記地理的位置、および、生体認証データの少なくとも１つを定期的に測定および記録し、ならびに、モバイルエンド・ユーザが依然として従っていることを保証するためのなりすまし対抗策として、認証の時間とモバイルエンド・ユーザの前記位置が時間割り当てルールおよび位置割り当てルールの少なくとも１つに従っていることを定期的に確認する工程を、含む、方法。
【請求項９】
（ａ）出退、モバイルエンド・ユーザの前記位置、および現行の状態の少なくとも１つをディスプレイによって表示する工程、および、
（ｂ）ボタン入力、タッチディスプレイ入力、または音声を、モバイル・デバイスによって受け取る工程、の少なくとも１つをさらに含む、請求項８に記載の方法。
【請求項１０】
モバイルエンド・ユーザの前記位置が位置割り当てルールに従っていることをサーバによって確認する工程は、モバイルエンド・ユーザの前記位置が世界のある領域を表す地理的座標のセット内にあるかどうかを確認する工程を含む、請求項８に記載の方法。
【請求項１１】
（ａ）サーバによって地理的座標のセットを受け取りデータベースに入れる工程、および、
（ｂ）構成可能な位置割り当てルールを提供するために地理的座標のセットを、サーバによってリアルタイムで更新する工程、の少なくとも１つを含む、請求項１０に記載の方法。
【請求項１２】
サーバによって地理的座標のセットを受け取る工程は、世界の前記領域を包含する形状を形成するディジタルマップ上の１以上の地理的な座標点を受け取る工程を含む、請求項１１に記載の方法。
【請求項１３】
モバイルエンド・ユーザが能動的にモバイル・デバイスに退出指示を入力する必要なく、認証の時間とモバイルエンド・ユーザの前記位置の少なくとも１つが時間割り当てルールおよび位置割り当てルールの少なくとも１つに従っていない場合に、サーバによってモバイルエンド・ユーザの退出を記録する工程をさらに含む、請求項１０に記載の方法。
【請求項１４】
（ａ）出退データ、前記確認、現行の状態、および、モバイルエンド・ユーザの前記位置の少なくとも１つを、管理モジュールによって表示する工程、
（ｂ）モバイル・デバイスに管理モジュールによって直接メッセージを伝える工程、あるいは、
（ｃ）認証の時間とモバイルエンド・ユーザの前記位置が時間割り当てルールおよび位置割り当てルールの少なくとも１つに従っていることを、管理モジュールによって確認する工程、をさらに含む、請求項８に記載の方法。